(57)【要約】【課題】複数のネットワークに跨る監視信号をネットワーク単位に終端させて流通させる場合の監視区間の分割や他社への連絡を自動化すること。【解決手段】ＩＤ判別部１４は、監視オーダ受付部１３で受け付けた監視指示オーダの始点ＩＤおよび終点ＩＤが所属するネットワークをネットワーク所属テーブル１１から取得して判別し、設定オーダ変換部１５は、他ネットワークに属する始点ＩＤまたは終点ＩＤがある場合はネットワーク接続テーブル１２から当該他ネットワークとの接続点近傍の中継ネットワーク装置の装置ＩＤおよびオーダ転送先を取得し、当該装置ＩＤを始点ＩＤまたは終点ＩＤとするとともにオーダ転送先を含む他社向け設定オーダを生成し、他社向けオーダ転送部１７は、前記他社向け設定オーダを当該他社向け設定オーダ内に設定されたオーダ転送先に転送する。【選択図】図２
2011234280.tif 000002
【特許請求の範囲】
【請求項１】
所定の接続点を通じて相互に接続された複数の通信ネットワークのうちの一の通信ネットワークを管理するとともに、通信ネットワークを構成する各装置に付与されたいずれの通信ネットワークに対しても開示可能な装置ＩＤで監視区間の始点および終点をそれぞれ指定する始点ＩＤおよび終点ＩＤの組を少なくとも１つ含む監視指示オーダに従い、少なくとも一方の装置が前記一の通信ネットワークである自ネットワーク以外の通信ネットワークである他ネットワークに所属する場合を含めて任意の２つの装置間で装置固有ＩＤを用いた監視信号を流通させて通信の正常性を確認するためのネットワーク管理装置であって、
自ネットワークおよび他ネットワークを構成する装置の装置ＩＤと当該装置が所属する通信ネットワークとを対応させて保持するネットワーク所属テーブルと、
自ネットワークと接続する他ネットワークごとにその接続点近傍に設置された中継ネットワーク装置の装置ＩＤおよび当該他ネットワークのオーダ転送先を保持するネットワーク接続テーブルと、
前記監視指示オーダを受け付ける監視オーダ受付部と、
監視オーダ受付部で受け付けた監視指示オーダの始点ＩＤおよび終点ＩＤが所属するネットワークをネットワーク所属テーブルから取得して判別するＩＤ判別部と、
監視指示オーダの始点ＩＤおよび終点ＩＤが共に自ネットワークに所属する場合は、当該監視指示オーダの始点ＩＤおよび終点ＩＤをそのまま始点ＩＤおよび終点ＩＤとする自社向け設定オーダを生成し、
監視指示オーダの始点ＩＤが自ネットワークに所属し且つ監視指示オーダの終点ＩＤが他ネットワークに所属する場合は、当該監視指示オーダの終点ＩＤが所属する他ネットワークに対応する中継ネットワーク装置の装置ＩＤおよびオーダ転送先をネットワーク接続テーブルから取得し、前記監視指示オーダの始点ＩＤを始点ＩＤとし且つ前記取得した中継ネットワーク装置の装置ＩＤを終点ＩＤとする自社向け設定オーダと、前記取得した中継ネットワーク装置の装置ＩＤを始点ＩＤとし且つ前記監視指示オーダの終点ＩＤを終点ＩＤとし更に前記取得したオーダ転送先を転送先とする他社向け設定オーダとを生成し、
監視指示オーダの始点ＩＤが他ネットワークに所属し且つ監視指示オーダの終点ＩＤが自ネットワークに所属する場合は、当該監視指示オーダの始点ＩＤが所属する他ネットワークに対応する中継ネットワーク装置の装置ＩＤおよびオーダ転送先をネットワーク接続テーブルから取得し、前記取得した中継ネットワーク装置の装置ＩＤを始点ＩＤとし且つ前記監視指示オーダの終点ＩＤを終点ＩＤとする自社向け設定オーダと、前記監視指示オーダの始点ＩＤを始点ＩＤとし且つ前記取得した中継ネットワーク装置の装置ＩＤを終点ＩＤとし更に前記取得したオーダ転送先を転送先とする他社向け設定オーダとを生成する設定オーダ変換部と、
設定オーダ変換部で生成された他社向け設定オーダを当該他社向け設定オーダ内に設定されたオーダ転送先に転送する他社向けオーダ転送部と、を少なくとも有する
ことを特徴とするネットワーク管理装置。
【請求項２】
設定オーダ変換部は、
監視指示オーダの始点ＩＤが他ネットワークに所属し且つ監視指示オーダの終点ＩＤが他ネットワークに所属する場合は、当該監視指示オーダの始点ＩＤが所属する他ネットワークに対応する第１の中継ネットワーク装置の装置ＩＤおよび第１のオーダ転送先をネットワーク接続テーブルから取得し、当該監視指示オーダの終点ＩＤが所属する他ネットワークに対応する第２の中継ネットワーク装置の装置ＩＤおよび第２のオーダ転送先をネットワーク接続テーブルから取得し、前記取得した第１の中継ネットワーク装置の装置ＩＤを始点ＩＤとし且つ前記取得した第２の中継ネットワーク装置の装置ＩＤを終点ＩＤとする自社向け設定オーダと、前記監視指示オーダの始点ＩＤを始点ＩＤとし且つ前記取得した第１の中継ネットワーク装置の装置ＩＤを終点ＩＤとし更に前記取得した第１のオーダ転送先を転送先とする第１の他社向け設定オーダと、前記取得した第２の中継ネットワーク装置の装置ＩＤを始点ＩＤとし且つ前記監視指示オーダの終点ＩＤを終点ＩＤとし更に前記取得した第２のオーダ転送先を転送先とする第２の他社向け設定オーダとを生成する
ことを特徴とする請求項１に記載のネットワーク管理装置。
【請求項３】
設定オーダ変換部で生成された自社向け設定オーダを自ネットワークのオーダ処理部に転送する自社向けオーダ転送部を備えた
ことを特徴とする請求項１または２に記載のネットワーク管理装置。
【発明の詳細な説明】
【技術分野】
【０００１】
本発明は、運営会社が異なる複数の通信ネットワークにそれぞれ所属する２つの装置間（ポイント・ツー・ポイント）で装置固有ＩＤを用いた監視信号（監視フレーム、監視パケット）を流通させて通信の正常性を確認する場合でも、各装置の装置固有ＩＤが他社へ流出しないように前記監視信号をネットワーク単位で終端するための技術に関する。
【背景技術】
【０００２】
従来より、通信ネットワークを構成する任意の２つの装置、例えば任意の２つの終端装置間の通信の正常性を確認する方法として、当該２つの終端装置間で、機種情報やベンダ情報等の装置固有の情報を含む装置固有ＩＤ（例えばイーサネット（登録商標）フレームのＭＡＣアドレス）を用いた監視信号を流通させる方法がある。
【０００３】
この方法は、通信ネットワークを管理するネットワーク管理装置により、一方の終端装置から当該一方の終端装置の装置固有ＩＤを発信元ＩＤとし且つ他方の終端装置の装置固有ＩＤを受信先ＩＤとする監視信号を発出させるとともに、他方の終端装置に前記一方の終端装置の装置固有ＩＤを発信元ＩＤとして保持させ、当該他方の終端装置において前記保持した装置固有ＩＤを発信元ＩＤとし且つ自身の装置固有ＩＤを受信先ＩＤとして含む監視信号が一定時間受信できなかったり、自身の装置固有ＩＤを受信先ＩＤとして受信した監視信号の発信元ＩＤが前記保持した装置固有ＩＤと異なる場合に警報を上げさせるものであった（特許文献１、２参照）。
【先行技術文献】
【特許文献】
【０００４】
【特許文献１】特開２００８−６０９２０号公報
【特許文献２】特許第３８９７０１２号公報
【発明の概要】
【発明が解決しようとする課題】
【０００５】
しかし、この方法では、各終端装置が運営会社の異なる複数の通信ネットワークにそれぞれ所属している場合、例えば一方の終端装置がネットワーク管理装置も運営する会社（自社）の通信ネットワーク（以下、自ネットワーク）に所属し、他方の終端装置が自ネットワークと所定の接続点を通じて相互に接続された他社の通信ネットワーク（他ネットワーク）に所属している場合、自ネットワークを構成する一方の終端装置の装置固有ＩＤを当該他ネットワークに公開することになり、この装置固有ＩＤから自ネットワークを構成する装置の機種情報やベンダ情報が他社に流出（例えばイーサネット（登録商標）フレームのＭＡＣアドレスは一般にベンダ情報を含んでいるため、ＭＡＣアドレスからベンダ情報が流出）してしまうという欠点があった。
【０００６】
そこで、他ネットワークとの接続点近傍に装置固有ＩＤを知られても良い中継ネットワーク装置を設置し、ここで監視信号（他ネットワークへの監視信号および他ネットワークからの監視信号）を終端する方法が考えられる。しかし、これを実現するには、監視信号の流通区間（監視区間）を自ネットワーク分と他ネットワーク分とに適切に分割した上で、他ネットワークの監視区間における監視信号の流通に関しては当該他ネットワーク（の運営会社）に委ねるための連絡を行う必要があり、特に多数の通信ネットワークと接続されている場合に困難な作業になるという問題があった。
【０００７】
本発明は、複数のネットワークに跨る監視信号をネットワーク単位に終端させて流通させる場合の監視区間の分割や他社への連絡を自動化することを目的とする。
【課題を解決するための手段】
【０００８】
本発明のネットワーク管理装置は、所定の接続点を通じて相互に接続された複数の通信ネットワークのうちの一の通信ネットワークを管理するとともに、通信ネットワークを構成する各装置に付与されたいずれの通信ネットワークに対しても開示可能な装置ＩＤで監視区間の始点および終点をそれぞれ指定する始点ＩＤおよび終点ＩＤの組を少なくとも１つ含む監視指示オーダに従い、少なくとも一方の装置が前記一の通信ネットワークである自ネットワーク以外の通信ネットワークである他ネットワークに所属する場合を含めて任意の２つの装置間で装置固有ＩＤを用いた監視信号を流通させて通信の正常性を確認するためのネットワーク管理装置であって、自ネットワークおよび他ネットワークを構成する装置の装置ＩＤと当該装置が所属する通信ネットワークとを対応させて保持するネットワーク所属テーブルと、自ネットワークと接続する他ネットワークごとにその接続点近傍に設置された中継ネットワーク装置の装置ＩＤおよび当該他ネットワークのオーダ転送先を保持するネットワーク接続テーブルと、前記監視指示オーダを受け付ける監視オーダ受付部と、監視オーダ受付部で受け付けた監視指示オーダの始点ＩＤおよび終点ＩＤが所属するネットワークをネットワーク所属テーブルから取得して判別するＩＤ判別部と、監視指示オーダの始点ＩＤおよび終点ＩＤが共に自ネットワークに所属する場合は、当該監視指示オーダの始点ＩＤおよび終点ＩＤをそのまま始点ＩＤおよび終点ＩＤとする自社向け設定オーダを生成し、監視指示オーダの始点ＩＤが自ネットワークに所属し且つ監視指示オーダの終点ＩＤが他ネットワークに所属する場合は、当該監視指示オーダの終点ＩＤが所属する他ネットワークに対応する中継ネットワーク装置の装置ＩＤおよびオーダ転送先をネットワーク接続テーブルから取得し、前記監視指示オーダの始点ＩＤを始点ＩＤとし且つ前記取得した中継ネットワーク装置の装置ＩＤを終点ＩＤとする自社向け設定オーダと、前記取得した中継ネットワーク装置の装置ＩＤを始点ＩＤとし且つ前記監視指示オーダの終点ＩＤを終点ＩＤとし更に前記取得したオーダ転送先を転送先とする他社向け設定オーダとを生成し、監視指示オーダの始点ＩＤが他ネットワークに所属し且つ監視指示オーダの終点ＩＤが自ネットワークに所属する場合は、当該監視指示オーダの始点ＩＤが所属する他ネットワークに対応する中継ネットワーク装置の装置ＩＤおよびオーダ転送先をネットワーク接続テーブルから取得し、前記取得した中継ネットワーク装置の装置ＩＤを始点ＩＤとし且つ前記監視指示オーダの終点ＩＤを終点ＩＤとする自社向け設定オーダと、前記監視指示オーダの始点ＩＤを始点ＩＤとし且つ前記取得した中継ネットワーク装置の装置ＩＤを終点ＩＤとし更に前記取得したオーダ転送先を転送先とする他社向け設定オーダとを生成する設定オーダ変換部と、設定オーダ変換部で生成された他社向け設定オーダを当該他社向け設定オーダ内に設定されたオーダ転送先に転送する他社向けオーダ転送部と、を少なくとも有する
ことを特徴とする。
【発明の効果】
【０００９】
本発明によれば、運営会社が異なる複数の通信ネットワークにそれぞれ所属する２つの装置間で、機種情報やベンダ情報等の装置固有の情報を含む装置固有ＩＤを用いた監視信号を流通させて通信の正常性を確認する場合でも、監視信号の流通区間（監視区間）を自ネットワーク分と他ネットワーク分とに適切に分割し、装置固有ＩＤを他社に流出させないようにした上で、他ネットワークの監視区間における監視信号の流通に関しては当該他ネットワークの運営会社に連絡することができる。
【図面の簡単な説明】
【００１０】
【図１】本発明のネットワーク管理装置とともにその監視対象ネットワークの全体を示す構成図
【図２】本発明のネットワーク管理装置の実施の形態の一例を示す構成図
【図３】ネットワーク所属テーブルの一例を示す説明図
【図４】ネットワーク接続テーブルの一例を示す説明図
【図５】監視指示オーダの一例を示す説明図
【図６】ＩＤ判別部および設定オーダ変換部の動作フローチャート
【図７】監視指示オーダから生成される自社向け設定オーダおよび他社向け設定オーダの詳細を示す説明図
【発明を実施するための形態】
【００１１】
以下、本発明を図面に基づいて詳細に説明する。
【００１２】
図１は本発明のネットワーク管理装置、ここでは１０とともにその監視対象ネットワークの全体を示すもので、ネットワーク管理装置１０本来の管理対象である自社の通信ネットワーク（自ネットワーク）Ａおよびネットワーク管理装置１０本来の管理対象でないが装置固有ＩＤを用いた監視信号の流通先となる装置を含む他社の通信ネットワーク（他ネットワーク）Ｂ１，Ｂ２から構成され、自ネットワークＡと他ネットワークＢ１，Ｂ２とはそれぞれ所定の接続点Ｃ１，Ｃ２において接続されているものとする。
【００１３】
ここで、自ネットワークＡは他ネットワークＢ１，Ｂ２との接続点Ｃ１，Ｃ２近傍にそれぞれ設置された装置固有ＩＤを開示可能な中継ネットワーク装置Ｄ１，Ｄ２とともに、装置固有ＩＤを開示不可な終端装置Ｄ５，Ｄ６，Ｄ７，Ｄ８および装置固有ＩＤを開示不可な中継装置Ｄ３，Ｄ４から構成され、また、他ネットワークＢ１，Ｂ２はそれぞれ装置固有ＩＤを開示不可な終端装置Ｄ９，Ｄ１０を備えているものとする。なお、各装置Ｄ１〜Ｄ１０にはそれぞれ、装置固有ＩＤとは別の、いずれの通信ネットワークに対しても開示可能な装置ＩＤ、ここではｄ１〜ｄ１０が予め付与されているものとする。
【００１４】
ネットワーク管理装置１０では、後述するように前記装置ＩＤによる監視指示オーダを自社向け設定オーダ、または自社向け設定オーダおよび他社向け設定オーダに分割し、自社向け設定オーダを自社オーダ処理部Ｅへ、また他社向け設定オーダをオーダ受信システムＦ１，Ｆ２へ転送する。
【００１５】
自社オーダ処理部Ｅおよびオーダ受信システムＦ１，Ｆ２はそれぞれ、自ネットワークＡおよび他ネットワークＢ１，Ｂ２に所属し、ネットワーク管理装置１０から転送される設定オーダに含まれる装置ＩＤを装置固有ＩＤに翻訳し、所属ネットワークに当該装置固有ＩＤを用いた監視信号を流通させて通信の正常性を確認させる機能を有するものとする。
【００１６】
なお、自社オーダ処理部Ｅおよびオーダ受信システムＦ１，Ｆ２はそれぞれ、その所属ネットワークを構成する各装置の装置固有ＩＤを保持している外、接続点近傍の別のネットワークの中継ネットワーク装置の装置固有ＩＤを保持、ここではオーダ受信システムＦ１では中継ネットワーク装置Ｄ１の装置固有ＩＤを保持し、また、オーダ受信システムＦ２では中継ネットワーク装置Ｄ２の装置固有ＩＤを保持しているものとする。
【００１７】
図２は本発明のネットワーク管理装置１０の実施の形態の一例を示すもので、本発明のネットワーク管理装置１０は、ネットワーク所属テーブル１１と、ネットワーク接続テーブル１２と、監視オーダ受付部１３と、ＩＤ判別部１４と、設定オーダ変換部１５と、自社向けオーダ転送部１６と、他社向けオーダ転送部１７とから構成されている。
【００１８】
ネットワーク所属テーブル１１は、自ネットワークＡおよび他ネットワークＢ１，Ｂ２を構成する各装置Ｄ１〜Ｄ１０の装置ＩＤと当該各装置Ｄ１〜Ｄ１０が所属する通信ネットワークとを対応させて保持してなるもので、図３にその一例を示す。図３では装置ＩＤがｄ１〜ｄ８の装置が自ネットワークＡに所属し、ｄ９の装置が他ネットワークＢ１に所属し、ｄ１０の装置が他ネットワークＢ２に所属していることが示されている。
【００１９】
ネットワーク接続テーブル１２は、自ネットワークＡと接続する他ネットワークＢ１，Ｂ２ごとにその接続点近傍に設置された中継ネットワーク装置の装置ＩＤおよび当該他ネットワークＢ１，Ｂ２のオーダ転送先（の情報）を保持してなるもので、図４にその一例を示す。図４では他ネットワークＢ１の接続点近傍の中継ネットワーク装置の装置ＩＤがｄ１、オーダ転送先がオーダ受信システムＦ１であり、また、他ネットワークＢ２の接続点近傍の中継ネットワーク装置の装置ＩＤがｄ２、オーダ転送先がオーダ受信システムＦ２であることが示されている。
【００２０】
監視オーダ受付部１３は、図示しないキーボード等から直接入力され又は記憶媒体から読み出されて入力され又は通信媒体を介して他の装置等から入力された監視指示オーダを受け付ける。
【００２１】
ここで、監視指示オーダとは、装置固有ＩＤを用いた監視信号による監視区間の始点および終点をそれぞれ前記装置ＩＤで指定する始点ＩＤおよび終点ＩＤの組を少なくとも１つ含むもので、図５にその一例を示す。ここで監視指示オーダ＃１は始点ＩＤおよび終点ＩＤとしてｄ５およびｄ９の組を含み、監視指示オーダ＃２は監視区間として始点ＩＤ＝ｄ５および終点ＩＤ＝ｄ１０の組と、始点ＩＤ＝ｄ７および終点ＩＤ＝ｄ１０の組とを含むことが示されている。このように、１つの監視指示オーダが複数の監視区間の組を保持したり、複数の組で同一の始点ＩＤまたは終点ＩＤを指定することを妨げない。
【００２２】
ＩＤ判別部１４は、監視オーダ受付部１３で受け付けた監視指示オーダの始点ＩＤおよび終点ＩＤが所属するネットワークを、ネットワーク所属テーブル１１から取得して判別する。
【００２３】
設定オーダ変換部１５は、ＩＤ判別部１４による判別の結果、監視指示オーダの始点ＩＤおよび終点ＩＤが共に自ネットワークに所属する場合は、当該監視指示オーダの始点ＩＤおよび終点ＩＤをそのまま始点ＩＤおよび終点ＩＤとする自社向け設定オーダを生成する。
【００２４】
また、設定オーダ変換部１５は、ＩＤ判別部１４による判別の結果、監視指示オーダの始点ＩＤが自ネットワークに所属し且つ監視指示オーダの終点ＩＤが他ネットワークに所属する場合は、当該監視指示オーダの終点ＩＤが所属する他ネットワークに対応する中継ネットワーク装置の装置ＩＤおよびオーダ転送先をネットワーク接続テーブル１２から取得し、前記監視指示オーダの始点ＩＤを始点ＩＤとし且つ前記取得した中継ネットワーク装置の装置ＩＤを終点ＩＤとする自社向け設定オーダと、前記取得した中継ネットワーク装置の装置ＩＤを始点ＩＤとし且つ前記監視指示オーダの終点ＩＤを終点ＩＤとし更に前記取得したオーダ転送先を転送先とする他社向け設定オーダとを生成する。
【００２５】
また、設定オーダ変換部１５は、ＩＤ判別部１４による判別の結果、監視指示オーダの始点ＩＤが他ネットワークに所属し且つ監視指示オーダの終点ＩＤが自ネットワークに所属する場合は、当該監視指示オーダの始点ＩＤが所属する他ネットワークに対応する中継ネットワーク装置の装置ＩＤおよびオーダ転送先をネットワーク接続テーブル１２から取得し、前記取得した中継ネットワーク装置の装置ＩＤを始点ＩＤとし且つ前記監視指示オーダの終点ＩＤを終点ＩＤとする自社向け設定オーダと、前記監視指示オーダの始点ＩＤを始点ＩＤとし且つ前記取得した中継ネットワーク装置の装置ＩＤを終点ＩＤとし更に前記取得したオーダ転送先を転送先とする他社向け設定オーダとを生成する。
【００２６】
また、設定オーダ変換部１５は、ＩＤ判別部１４による判別の結果、監視指示オーダの始点ＩＤが他ネットワークに所属し且つ監視指示オーダの終点ＩＤが他ネットワークに所属する場合は、当該監視指示オーダの始点ＩＤが所属する他ネットワークに対応する第１の中継ネットワーク装置の装置ＩＤおよび第１のオーダ転送先をネットワーク接続テーブル１２から取得するとともに、当該監視指示オーダの終点ＩＤが所属する他ネットワークに対応する第２の中継ネットワーク装置の装置ＩＤおよび第２のオーダ転送先をネットワーク接続テーブル１２から取得し、前記取得した第１の中継ネットワーク装置の装置ＩＤを始点ＩＤとし且つ前記取得した第２の中継ネットワーク装置の装置ＩＤを終点ＩＤとする自社向け設定オーダと、前記監視指示オーダの始点ＩＤを始点ＩＤとし且つ前記取得した第１の中継ネットワーク装置の装置ＩＤを終点ＩＤとし更に前記取得した第１のオーダ転送先を転送先とする第１の他社向け設定オーダと、前記取得した第２の中継ネットワーク装置の装置ＩＤを始点ＩＤとし且つ前記監視指示オーダの終点ＩＤを終点ＩＤとし更に前記取得した第２のオーダ転送先を転送先とする第２の他社向け設定オーダとを生成する。
【００２７】
図６にＩＤ判別部１４および設定オーダ変換部１５の動作フローチャートを示す。ここで、ｓ１〜ｓ４はＩＤ判別部１４の動作、ｓ１１，ｓ２１〜ｓ２３，ｓ３１〜ｓ３３，ｓ４１〜ｓ４５は設定オーダ変換部１５の動作を示す。また、図７に図６の動作フローチャートに従った結果として監視指示オーダから生成される自社向け設定オーダおよび他社向け設定オーダの詳細（監視指示オーダにおける始点ＩＤおよび終点ＩＤの所属ネットワーク（ＮＷ）の種別に応じて生成される自社向け設定オーダおよび他社向け設定オーダの態様）を示す。
【００２８】
自社向けオーダ転送部１６は、設定オーダ変換部１５で生成された自社向け設定オーダを自ネットワークのオーダ処理部、即ち自社オーダ処理部Ｅに転送する。
【００２９】
他社向けオーダ転送部１７は、設定オーダ変換部２５で生成された他社向け設定オーダを当該他社向け設定オーダ内に設定されたオーダ転送先、即ちオーダ受信システムＦ１，Ｆ２に転送する。
【００３０】
以下、本ネットワーク管理装置１０の動作を例を挙げて説明する。
【００３１】
まず、監視オーダ受付部１３は、図示しないキーボード等から直接入力され又は記憶媒体から読み出されて入力され又は通信媒体を介して他の装置等から入力された監視指示オーダ、例えば図５に示す監視指示オーダ＃１を受け付け、当該監視指示オーダ＃１の始点ＩＤ＝ｄ５および終点ＩＤ＝ｄ９をＩＤ判別部１４に渡す。
【００３２】
ＩＤ判別部１４は、監視指示オーダ＃１の始点ＩＤおよび終点ＩＤが所属するネットワークをネットワーク所属テーブル１１から取得して判別、ここでは始点ＩＤ＝ｄ５の所属ネットワークとして自ネットワークＡ、終点ＩＤ＝ｄ９の所属ネットワークとして他ネットワークＢ１をネットワーク所属テーブル１１から取得し、始点ＩＤが自ネットワークに所属し、終点ＩＤが他ネットワークＢ１に所属すると判別する（ｓ１，ｓ２，ｓ３）。
【００３３】
次に、設定オーダ変換部１５は、終点ＩＤの所属ネットワークに対応する中継ネットワーク装置の装置ＩＤおよびオーダ転送先をネットワーク接続テーブル１２から取得、ここでは所属ネットワークである他ネットワークＢ１に対応する中継ネットワーク装置の装置ＩＤとしてｄ１およびオーダ転送先としてオーダ受信システムＦ１をネットワーク接続テーブル１２から取得する（ｓ２１）。
【００３４】
次に、設定オーダ変換部１５は、前記監視指示オーダの始点ＩＤを始点ＩＤとし且つ前記取得した中継ネットワーク装置の装置ＩＤを終点ＩＤとする自社向け設定オーダ、ここでは始点ＩＤ＝ｄ５、終点ＩＤ＝ｄ１の自社向け設定オーダと、前記取得した中継ネットワーク装置の装置ＩＤを始点ＩＤとし且つ前記監視指示オーダの終点ＩＤを終点ＩＤとし更に前記取得したオーダ転送先を転送先とする他社向け設定オーダ、ここでは始点ＩＤ＝ｄ１、終点ＩＤ＝ｄ９、転送先＝オーダ受信システムＦ１の他社向け設定オーダとを生成する（ｓ２２，ｓ２３）。
【００３５】
自社向けオーダ転送部１６は、設定オーダ変換部１５で生成された自社向け設定オーダを自社オーダ処理部Ｅに転送し、また、他社向けオーダ転送部１７は、設定オーダ変換部１５で生成された他社向け設定オーダを当該他社向け設定オーダ内に設定されたオーダ転送先、ここではオーダ受信システムＦ１に転送する。
【００３６】
なお、自社オーダ処理部Ｅでは、前述した自社向け設定オーダを受け取ると、その始点ＩＤ＝ｄ５および終点ＩＤ＝ｄ１をそれぞれ、対応する終端装置Ｄ５および中継ネットワーク装置Ｄ１の装置固有ＩＤに翻訳し、これらの装置固有ＩＤを用いた監視信号を自ネットワークＡに流通させて終端装置Ｄ５および中継ネットワーク装置Ｄ１間の通信の正常性を確認する。
【００３７】
また、オーダ受信システムＦ１では、前述した他社向け設定オーダを受け取ると、その始点ＩＤ＝ｄ１および終点ＩＤ＝ｄ９をそれぞれ、対応する中継ネットワーク装置Ｄ１および終端装置Ｄ９の装置固有ＩＤに翻訳し、これらの装置固有ＩＤを用いた監視信号を他ネットワークＢ１に流通させて中継ネットワーク装置Ｄ１および終端装置Ｄ９間の通信の正常性を確認する。
【００３８】
更にまた、自社オーダ処理部Ｅおよびオーダ受信システムＦ１による確認結果（装置固有ＩＤは含まない。）については、必要に応じてネットワーク管理装置１０または別の装置にて収集し、監視指示オーダに対応する確認結果に変換するようにしても良い。
【００３９】
このように、本実施の形態によれば、運営会社が異なる複数の通信ネットワークにそれぞれ所属する２つの装置間（ポイント・ツー・ポイント）で、機種情報やベンダ情報等の装置固有の情報を含む装置固有ＩＤを用いた監視信号を流通させて通信の正常性を確認する場合でも、監視信号の流通区間（監視区間）を自ネットワーク分と他ネットワーク分とに適切に分割し、装置固有ＩＤを他社に流出させないようにした上で、他ネットワークの監視区間における監視信号の流通に関しては当該他ネットワークの運営会社に連絡することができる。
【００４０】
なお、本来の管理対象が自ネットワークＡであるネットワーク管理装置１０にとって、監視指示オーダの始点ＩＤおよび終点ＩＤの両方が他ネットワークに所属する場合は、例外的なケースとし、以後の処理を行わないようにしても良い。また、自社オーダ処理部Ｅにおける機能はネットワーク管理装置１０本来の機能であるから、自社オーダ処理部Ｅ自体、ネットワーク管理装置１０の一部と考えても良く、その場合、自社向けオーダ転送部は必要ない。
【符号の説明】
【００４１】
１０：ネットワーク管理装置、１１：ネットワーク所属テーブル、１２：ネットワーク接続テーブル、１３：監視オーダ受付部、１４：ＩＤ判別部、１５：設定オーダ変換部、１６：自社向けオーダ転送部、１７：他社向けオーダ転送部、Ａ：自ネットワーク、Ｂ１，Ｂ２：他ネットワーク、Ｃ１，Ｃ２：接続点、Ｄ１〜Ｄ１０：装置、Ｅ：自社オーダ処理部、Ｆ１，Ｆ２：オーダ受信システム。
【図１】
2011234280.tif 000003
【図２】
2011234280.tif 000004
【図３】
2011234280.tif 000005
【図４】
2011234280.tif 000006
【図５】
2011234280.tif 000007
【図６】
2011234280.tif 000008
【図７】
2011234280.tif 000009